(57)【要約】ハザード検出器をネットワーク化された警報システムに取り外し可能に接続するためのソケットであって、システムは、システムコントローラである第１のコントローラを有し、ソケットは、基部を有するハウジングと、検出器を取り外し可能に受け取るための電気的インターフェースと、基部に装着されたソケットコントローラである第２のコントローラであって、ソケットコントローラは、検出器が接続されているとき及び切断されているときにシステムコントローラとの無線及び／または有線ネットワーク通信を維持する、第２のコントローラと、を有するソケットが開示される。
2021532504.tif 000002
【特許請求の範囲】
【請求項１】
ハザード検出器（１０５）をネットワーク化された警報システム（１１０）に取り外し可能に接続するソケット（１００）であって、前記警報システム（１１０）は、システムコントローラである第１のコントローラ（１１５）を有し、前記ソケット（１００）は、
基部（１２５）を有するハウジング（１２０）と、
前記ハザード検出器（１０５）を取り外し可能に受け取る電気的インターフェース（１３５）と、
前記基部（１３０）に装着されたソケットコントローラである第２のコントローラ（１４０）であって、前記ソケットコントローラ（１４０）は、前記ハザード検出器（１０５）が接続されているとき及び切断されているときに前記システムコントローラ（１１５）との無線及び／または有線ネットワーク通信を維持する、前記第２のコントローラ（１４０）と、
を含む、ソケット（１００）。
【請求項２】
前記ハザード検出器（１０５）が接続されていても切断されていても、前記警報システム（１１０）に電気的に接続して前記警報システム（１１０）から電力及びデータを受け取るための、前記基部（１２５）に装着された第１の複数の電気コネクタ（１３０）を含む、請求項１に記載のソケット（１００）。
【請求項３】
前記電気的インターフェース（１３５）は前記ハザード検出器（１０５）のデータ転送ポート（１３７）に接続するための通信ポートである、請求項１または２に記載のソケット（１００）。
【請求項４】
共通回路（１５０）に配置されたハザード検出器のデイジーチェーン内の前記ソケット（１００）を前記警報システム（１１０）に接続する第２の複数の電気コネクタ（１４５）を含む、請求項１〜３のいずれかに記載のソケット（１００）。
【請求項５】
視覚及び／または音響インジケータ（１５５）であるインジケータ（１５５）に電力供給する第３の複数の電気コネクタ（１５０）を含む、請求項１〜４のいずれかに記載のソケット（１００）。
【請求項６】
接続された検出器（１０５）が警報状態にあるときに前記ソケットコントローラ（１４０）が前記インジケータ（１５５）を駆動する、請求項１〜５のいずれかに記載のソケット（１００）。
【請求項７】
ネットワーク化された警報システム（１１０）であって、
システムコントローラ（１１５）と、
前記システムコントローラ（１１５）に動作可能に接続された回路（１１１）と、
請求項１〜６のいずれかに記載のソケット（１００）によって前記回路（１１１）に装着された少なくとも１つの検出器（１０５）と、
を含む、ネットワーク化された警報システム（１１０）。
【請求項８】
前記ソケット（１００）は前記回路（１１１）を介して電力及びデータを受け取る、請求項７に記載の警報システム（１１０）。
【請求項９】
前記回路（１１１）はループ回路である、請求項７または８に記載の警報システム（１１０）。
【請求項１０】
前記ソケットコントローラ（１４０）は、
検出器（１０５）が前記ソケットコントローラ（１４０）から切断されているときを決定して、前記システムコントローラ（１１５）にステータスアップデートを通信し、
前記システムコントローラ（１１５）は、電気通信ネットワーク（１７０）を介して第３のコントローラ（１６５）に前記ステータスアップデートを通信し、
前記第３のコントローラ（１６５）は火災システムコントローラである、
請求項７〜９のいずれかに記載の警報システム（１１０）。
【請求項１１】
ハザード検出器（１０５）をネットワーク化された警報システム（１１０）に取り外し可能に接続する方法であって、前記警報システム（１１０）は、システムコントローラである第１のコントローラ（１１５）を有し、
前記方法は、
前記ハザード検出器（１０５）をソケット（１００）に取り外し可能に接続することを含み、前記ソケット（１００）は、
基部（１２５）を有するハウジング（１２０）と、
前記ハザード検出器（１０５）を取り外し可能に受け取る電気的インターフェース（１３５）と、
前記基部（１３０）に装着されたソケットコントローラである第２のコントローラ（１４０）であって、前記ソケットコントローラ（１４０）は、前記ハザード検出器（１０５）が接続されているとき及び切断されているときに前記システムコントローラ（１１５）との無線及び／または有線ネットワーク通信を維持する、前記第２のコントローラ（１４０）と、
を含む、方法。
【請求項１２】
前記ソケット（１００）には、前記ハザード検出器（１０５）が接続されていても切断されていても、前記警報システム（１１０）に電気的に接続して前記警報システム（１１０）から電力及びデータを受け取るための、前記基部（１２５）に装着された第１の複数の電気コネクタ（１３０）が含まれる、請求項１１に記載の方法。
【請求項１３】
前記電気的インターフェース（１３５）は前記ハザード検出器（１０５）のデータ転送ポート（１３７）に接続するための通信ポートである、請求項１１または１２に記載の方法。
【請求項１４】
前記ソケットには、共通回路（１５０）に配置されたハザード検出器のデイジーチェーン内の前記ソケット（１００）を前記警報システム（１１０）に接続する第２の複数の電気コネクタ（１４５）が含まれる、請求項１１〜１３のいずれかに記載の方法。
【請求項１５】
前記ソケット（１００）には、視覚及び／または音響インジケータ（１５５）であるインジケータ（１５５）に電力供給する第３の複数の電気コネクタ（１５０）が含まれる、請求項１１〜１４のいずれかに記載の方法。
【請求項１６】
接続された検出器（１０５）が警報状態にあるときに前記ソケットコントローラ（１４０）は前記インジケータ（１５５）を駆動する、請求項１１〜１５のいずれかに記載の方法。
【請求項１７】
ネットワーク化された警報システム（１１０）を構成する方法であって、前記警報システムはシステムコントローラ（１１５）と、前記システムコントローラ（１１５）に動作可能に接続された回路（１１１）とを含み、前記方法は、
請求項１１〜１６のいずれかに記載のソケット（１００）によって前記警報システム（１１０）に少なくとも１つの検出器（１０５）を取り外し可能に接続すること、
を含む、前記方法。
【請求項１８】
前記ソケット（１００）は前記回路（１１１）を介して電力及びデータを受け取る請求項１７に記載の方法。
【請求項１９】
前記回路（１１１）はループ回路である、請求項１７または１８に記載の方法。
【請求項２０】
前記ソケットコントローラ（１４０）は、
検出器（１０５）が前記ソケットコントローラ（１４０）から切断されているときを決定して、前記システムコントローラ（１１５）にステータスアップデートを通信し、
前記システムコントローラ（１１５）は、電気通信ネットワーク（１７０）を介して第３のコントローラ（１６５）に前記ステータスアップデートを通信し、
前記第３のコントローラ（１６５）は火災システムコントローラである、
請求項１７〜１９のいずれかに記載の方法。
【発明の詳細な説明】
【背景技術】
【０００１】
典型的な実施形態は、ハザード検出器の技術に関し、より具体的には、ハザード検出器ソケットに関する。
【０００２】
工業用の煙検知器装置は、天井などの表面に装着すべき検出器ソケット及びこのソケット内にプラグ接続される検出器からなる場合がある。このような煙検知器の冗長ループにおいて、すべてのエレクトロニクスは検出器の内部にある場合がある。
【０００３】
ループベースの火災警報システムを設置するとき、電気技師は従来、ケーブル布線及び検出器ソケットを取り付けてから、検出器を挿入する。このときに技師はどんな検出器がどこに位置するかを確認する場合がある。ループにある種の無断線ソケットが含まれない限り、すべてのループユニットを所定の位置に置く前に技師がループの電気的完全性を検証することはでき得ない。無断線ソケットは、煙検知器を取り外したときに（すなわち、交換、クリーニングなどのために）検出器ループが断線し得ないものである。無断線ソケットでは、検出器を取り外したときに火災検知が失われることまたは冗長エレクトロニクスに断線が導入されることを防ぐために、検出器を取り外したときに検出器ループを閉じるマイクロスイッチを用いる場合がある。たとえば、このようなマイクロスイッチは、開いたソケットからの入力と出力とを接続する。
【発明の概要】
【０００４】
ハザード検出器をネットワーク化された警報システムに取り外し可能に接続するためのソケットであって、システムは、システムコントローラである第１のコントローラを有し、ソケットは、基部を有するハウジングと、検出器を取り外し可能に受け取るための電気的インターフェースと、基部に装着されたソケットコントローラである第２のコントローラであって、ソケットコントローラは、検出器が接続されているとき及び切断されているときにシステムコントローラとの無線及び／または有線ネットワーク通信を維持する、第２のコントローラと、を含むソケットが開示される。
【０００５】
前述の開示した特徴の１つまたは複数に加えてまたは代替案として、ソケットには、検出器が接続されていても切断されていても、システムに電気的に接続してシステムから電力及びデータを受け取るための、基部に装着された第１の複数の電気コネクタが含まれる。
【０００６】
前述の開示した特徴の１つまたは複数に加えてまたは代替案として、電気的インターフェースは検出器内のデータ転送ポートに接続するための通信ポートである。
【０００７】
前述の開示した特徴の１つまたは複数に加えてまたは代替案として、ソケットには、共通回路上に配置されたハザード検出器のデイジーチェーン内のソケットをシステムに接続するための第２の複数の電気コネクタが含まれる。
【０００８】
前述の開示した特徴の１つまたは複数に加えてまたは代替案として、ソケットには、視覚及び／または音響インジケータであるインジケータに電力供給するための第３の複数の電気コネクタが含まれる。
【０００９】
前述の開示した特徴の１つまたは複数に加えてまたは代替案として、接続された検出器が警報状態にあるときにソケットコントローラはインジケータを駆動する。
さらに、システムコントローラと、回路と、前述の開示した特徴のうちの１つ以上を有するソケットによって回路に装着された少なくとも１つの検出器と、を含むネットワーク化された警報システムが開示される。
【００１０】
前述の開示した特徴の１つまたは複数に加えてまたは代替案として、ソケットは回路を介して電力及びデータを受け取る。
【００１１】
前述の開示した特徴の１つまたは複数に加えてまたは代替案として、回路はループ回路である。
【００１２】
前述の開示した特徴の１つまたは複数に加えてまたは代替案として、ソケットコントローラは、検出器がソケットコントローラから切断されているときを決定して、システムコントローラにステータスアップデートを通信し、システムコントローラは、電気通信ネットワークを介して第３のコントローラにステータスアップデートを通信し、第３のコントローラは火災システムコントローラである。
【００１３】
さらに、ハザード検出器をネットワーク化された警報システムに取り外し可能に接続するための方法であって、システムは、システムコントローラである第１のコントローラを有し、本方法は、ハザード検出器を前述の開示した特徴のうちの１つ以上を有するソケットに取り外し可能に接続することを含む方法が開示される。さらに、ネットワーク化された警報システムを構成する方法であって、システムは前述の開示した特徴のうちの１つ以上を含む方法が開示される。
【００１４】
以下の説明は、多少なりとも限定であると考えてはならない。添付図面を参照して、同様の要素には同様に番号付けしている。
【図面の簡単な説明】
【００１５】
【図１】実施形態による警報ソケットを例示する。
【図２】実施形態によるネットワーク化された警報システムを例示する。
【図３】実施形態による電子コントローラで用いる種々の電子的特徴を例示する。
【発明を実施するための形態】
【００１６】
本明細書では、図を参照して、開示した装置及び方法の１つまたは複数の実施形態の詳細な説明を限定ではなく例示を目的として示す。
【００１７】
図１及び２を参照して、ハザード検出器１０５（この種類の構成ではヘッドユニットと言う場合がある）をネットワーク化された警報システム１１０に取り外し可能に接続するソケット１００が開示されている。システム１１０は、ハザード検出器１０５を含む複数のデイジーチェーン接続された検出器を伴うループ状回路１１１であってもよい。ハザード検出器１０５は煙検知器、ビーコン、音響器、入出力デバイスなどであってもよい。例示した実施形態では、検出器１０５は煙検知器である。システム１１０は、システムコントローラである第１のコントローラ１１５を有するインテリジェント警報システムであってもよい。
【００１８】
図１をさらに参照して、ソケット１００は、基部１２５を有するハウジング１２０を含んでいてもよい。ハウジングは略円筒型であってもよく、基部は天井に取り付け可能であってもよい。基部１２５に第１の複数の電気コネクタ１３０を装着してもよい。ソケットをシステム１１０に電気的に接続して電力を受け取るために、コネクタ１３０を用いてもよい。ソケット１００をシステム１１０に接続する無線及び有線ネットワーク接続は、本開示の範囲内である。
【００１９】
検出器１０５が接続されているとき及び切断されているときに、ソケット１００は、コネクタ１３０を用いて、ネットワーク化された警報システム１１０から入手可能な電力を連続的に受け取ってもよい。システム１１０内での断線を防ぐことによって、ソケット１００はループ内で冗長電力線を継続的に使用することを確実にする。
【００２０】
検出器１０５を取り外し可能に受け取るために、電気的インターフェース１３５を設けてもよい。加えて、ソケットコントローラであり得る第２のコントローラ１４０を基部１２５に装着してもよい。ソケットコントローラ１４０は、ハザード検出器１０５が接続されているとき及び切断されているときにシステムコントローラ１１５との有線または無線通信を維持してもよい。その結果、検出器がない場合でもソケット１００とのインテリジェントな通信を行い得る。
【００２１】
電気的インターフェース１３５は通信ポートであってもよいし、またはより具体的には、検出器１０５内のデータ転送ポート１３７に接続するシリアルポートであってもよい。このような標準化されたポート接続によって、たとえば、ソケット１００内の検出器または通信エレクトロニクスを更新するかまたはその種類を変えるために、検出器の比較的迅速な交換が可能になり得る。煙検知器、熱検出器、または他のハザード検出器をソケット１００とともに用いることが本開示の範囲内である。
【００２２】
ソケット１００を回路１１１に接続してデイジーチェーン内のさらなる検出器に電力を与えるために、第２の複数の電気コネクタ１４５を設けてもよい。視覚及び／または音響インジケータ１５５であるインジケータ１５５に電力供給するために、第３の複数の電気コネクタ１５０が含まれている。接続された検出器１０５が警報状態にあるときに、ソケットコントローラ１４０はインジケータ１５５を駆動する。インジケータ１５５は発光ダイオード（ＬＥＤ）であってもよい。
【００２３】
開示した実施形態の他の特徴には、検出器１０５を固定して受け取る１つまたは複数のメカニカルコネクタ１５６をハウジング１２０が有するということが含まれていてもよい。メカニカルコネクタ１５６はフランジ、突出部、タブなどであってもよい。
【００２４】
図２を参照して、回路１１１はいろいろな場合に、ソケット１０５、１５７などの種々のソケットにヘッドユニットが取り付けられていないという構成であってもよい。同時に、たとえば、検出器１５８、音響器１５９、及びビーコン１６０を用いて、本明細書で開示した種類の１つまたは複数のソケット内に他のヘッドユニットを設置してもよい。（示したように、入出力デバイスなどを含むヘッドユニットは本開示の範囲内である）。さらに、レガシー型ハザード検出器１６１が回路１１１内にあってもよい。図２の構成の場合に優位なことに、連続した電力及びデータが、回路１１１の全体を通して、本明細書で開示した種類の各ソケット、このようなソケットに取り付けられた各ヘッドユニット、及び各レガシー型ハザード検出器に伝達され得る。
【００２５】
図２にさらに例示するように、開示したシステム１１０の他の特徴には、システムコントローラ１１５を含む火災警報パネル１６４が含まれていてもよい。ソケットコントローラ１４０は、検出器１０５がソケットコントローラ１４０から切断されているときを決定して、システムコントローラ１１５にステータスアップデートを通信してもよい。システムコントローラ１１５は、電気通信ネットワーク１７０を介して第３のコントローラ１６５にステータスアップデートを通信してもよい。第３のコントローラ１６５は、遠隔モニタリングステーションにおける等の火災システムコントローラ１６５であってもよい。
【００２６】
前述で開示したシステム１００によって、ソケットに接続された検出器／音響器／ビーコンからフィールド通信が分離される。このような構成の１つの利点は、後の段階で、新しいフィールド通信プロトコルを実施することであってもよく、検出器／音響器／ビーコンを再使用することであってもよい。ソケットは、有線及び無線のプロトコルを含む他の既存のフィールドプロトコルに適応していてもよい。有利なことに、任意の検出器／音響器／ビーコン、及びこれらに付随する規制認証を再使用してもよい。
【００２７】
次に図３を参照して、また前述したように、本明細書における実施形態には、第１のコントローラ１１５、第２のコントローラ１４０、及び第３のコントローラ１６５を含む複数のコントローラが含まれていてもよい。少なくとも第１のコントローラ１１５及び第３のコントローラ１６５は、ネットワーク１７０を介して通信する。複数のコントローラは実質的に同じ技術的特徴を有していてもよい。したがって、以下では全般的にコントローラ１１５と言う場合がある第１のコントローラ１１５を参照して、複数のコントローラの特徴を以下に開示し得る。
【００２８】
コントローラ１１５は、処理回路（さらに、特定用途向け集積回路（ＡＳＩＣ）を含んでいてもよい）、抵抗器などの１つ以上の基本的な回路部品を伴う電子回路、電子プロセッサ（共有、専用、またはグループ）３００、メモリ３０５（１つ以上のソフトウェアアルゴリズムまたはファームウェアアルゴリズム及びプログラムを実行し、１つまたは複数のルックアップテーブルに動的に収集または配置され得る関連データが含まれる）、組み合わせ論理回路（１つ以上の演算増幅器を含む）、及び／または説明した機能をもたらす他の好適なインターフェース及びコンポーネントを含むコンピューティング装置であってもよい。たとえば、プロセッサ３００は、メモリ３０５に記憶されたデータを処理し、データを種々の制御アルゴリズム、診断などで用いる。
【００２９】
コントローラ１１５にはさらに、プロセッサ３００及びメモリ３０５に加えて、１つまたは複数の入力及び／または出力（Ｉ／Ｏ）デバイスインターフェース（複数可）３１０が含まれていてもよい。Ｉ／Ｏデバイスインターフェース３１０は、複数のコントローラ間で通信するためにオンボード（ローカル）インターフェースを介して通信可能に結合されている。オンボードインターフェースには、たとえば限定することなく、オンボードシステムバス３１５が含まれていてもよい。オンボードシステムバス３１５には、制御バス３２０（デバイス間通信用）、アドレスバス３２５（物理アドレッシング用）、及びデータバス３３０（データ転送用）が含まれる。すなわち、システムバス３１５によって、プロセッサ３００、メモリ３０５、及びＩ／Ｏ接続部３１０の間の電子通信が可能になる。Ｉ／Ｏ接続部３１０にはまた、有線接続及び／または無線接続が含まれていてもよい。オンボードインターフェースは、さらなる要素（簡単のために省略されている）を有していてもよい。たとえば、コントローラ、バッファ（キャッシュ）、ドライバ、リピータ、及び電子通信を可能にするための受信部である。
【００３０】
動作時には、コントローラ１１５のオンボードのプロセッサ３００は、メモリ３０５内に記憶されたソフトウェアアルゴリズムを実行し、メモリ３０５との間でデータを通信し、及びソフトウェアアルゴリズムに従って演算処理を全般的に制御するように構成してもよい。メモリ３０５内のアルゴリズムは、全体的または部分的に、プロセッサ３００が読み出し、おそらくはプロセッサ３００内のバッファに入れ、それから実行してもよい。プロセッサ３００には、アルゴリズム（特にメモリ３０５内に記憶されたアルゴリズム）を実行するためのハードウェアデバイスが含まれていてもよい。プロセッサ３００は、特注または市販のプロセッサ３００、中央演算処理装置（ＣＰＵ）、コンピューティング装置に対応付けられるいくつかのプロセッサ間の補助プロセッサ、半導体ベースのマイクロプロセッサ（マイクロチップまたはチップセットの形態）、または全般的にソフトウェアアルゴリズム実行するための何らかのこのようなデバイスであってもよい。
【００３１】
コントローラ１１５のオンボードのメモリ３０５には、揮発性メモリ要素（たとえば、ランダムアクセスメモリ（ＲＡＭ、たとえばＤＲＡＭ、ＳＲＡＭ、ＳＤＲＡＭ、ＶＲＡＭなど））及び／または不揮発性メモリ要素（たとえば、ＲＯＭ、ハードドライブ、テープ、ＣＤ−ＲＯＭなど）のうちのいずれか一つまたは組み合わせが含まれていてもよい。またメモリ３０５には、電子的、磁気的、光学的、及び／または他の種類の記憶媒体が組み込まれていてもよい。メモリ３０５は分散アーキテクチャを有していてもよい。分散アーキテクチャでは、種々のコンポーネントが互いから遠隔に位置しているが、プロセッサ３００がこれらにアクセスし得る。
【００３２】
コントローラ１１５のオンボードのメモリ３０５内のソフトウェアアルゴリズムには、１つまたは複数の別個のプログラムが含まれていてもよい。各プログラムには、論理機能を実施するための実行可能命令の順序付けしたリスティングが含まれる。ソフトウェアアルゴリズムとして具体化されたシステムコンポーネントは、ソースプログラム、実行可能プログラム（オブジェクトコード）、スクリプト、または行うべき命令のセットを含む任意の他のエンティティとして解釈してもよい。ソースプログラムとして構成したとき、ソフトウェアアルゴリズムは、コンパイラ、アセンブラ、インタープリタなど（メモリ内に含まれていてもよいしそうでなくてもよい）を介してトランスレートしてもよい。
【００３３】
システムＩ／Ｏインターフェース（複数可）３１０、有線インターフェース及び／または無線インターフェースを用いてコントローラ１１５に結合してもよい入出力（Ｉ／Ｏ）デバイスの一部は、特定されるが、その説明は簡略にするために省略する。このようなＩ／Ｏデバイスとしては以下を含むが、これらに限定されない。（ｉ）入力デバイス、たとえばキーボード、マウス、スキャナ、マイクロフォン、カメラ、近接デバイスなど、（ｉｉ）出力デバイス、たとえばプリンタ、ディスプレイなど、ならびに（ｉｉｉ）入力及び出力の両方として通信するデバイス、たとえば変調器／復調器（別のデバイス、システム、またはネットワークへのアクセス用のモデム）、無線周波数（ＲＦ）または他の送受信装置、電話インターフェース、ブリッジ、ルータなど。
【００３４】
さらに、無線接続を用いて、コントローラ１１５は、電子近距離通信（ＳＲＣ）プロトコルを適用することによってネットワーク１７０を介して通信してもよい。このようなプロトコルとしては、ローカルエリアネットワーク（ＬＡＮ）プロトコル及び／またはプライベートエリアネットワーク（ＰＡＮ）プロトコルを挙げてもよい。ＬＡＮプロトコルにはＷｉ−Ｆｉ技術が含まれる。これは、Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ（すなわち、ＩＥＥＥ）からのセクション８０２．１１規格に基づいた技術である。ＰＡＮプロトコルには、たとえば、Ｂｌｕｅｔｏｏｔｈ  Ｌｏｗ  Ｅｎｅｒｇｙ（ＢＴＬＥ）が含まれる。これは、短波長電波を用いて短距離上でデータを交換するために、Ｂｌｕｅｔｏｏｔｈ  Ｓｐｅｃｉａｌ  Ｉｎｔｅｒｅｓｔ  Ｇｒｏｕｐ（ＳＩＧ）によってデザイン及び販売された無線技術標準である。またＰＡＮプロトコルには、Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ（ＩＥＥＥ）からのセクション８０２．１５．４プロトコルに基づいた技術であるＺｉｇｂｅｅも含まれる。より具体的には、Ｚｉｇｂｅｅは、低出力で低帯域幅のニーズに対する小さくて低出力のデジタルラジオを伴うパーソナルエリアネットワークを形成するために用いる一組の高レベルの通信プロトコルを表しており、無線接続を用いた小規模のプロジェクトに最適である。このような無線接続３３０には無線周波数特定（ＲＦＩＤ）技術が含まれていてもよい。これは、ＲＦＩＤスマートカード上の集積チップ（ＩＣ）と通信するために用いる別のＳＲＣ技術である。
【００３５】
前述で開示したコントローラ１１５のアーキテクチャ、機能、及び／またはハードウェア動作を、ソフトウェアアルゴリズムを用いて実施してもよいことに注意されたい。ソフトウェアアルゴリズムでは、このような機能は、指定した論理機能（複数可）を実施するための１つまたは複数の実行可能命令を含むモジュール、セグメント、またはコード部分として表してもよい。またこのようなモジュールは、必ずしも何らかの特定の順序では実行され得ず及び／または全く実行され得ないことにも注意されたい。
【００３６】
また本明細書で説明するコントローラ１１５の機能のうちのいずれかを、以下が用いるかまたは以下とともに用いる何らかの非一時的コンピュータ可読媒体において具体化できることにも注意されたい。すなわち、命令実行システム、装置、またはデバイス、たとえばコンピュータベースのシステム、プロセッサを含むシステム、または他のシステムであって、命令実行システム、装置、またはデバイスからの命令をフェッチして命令を実行することができるものである。この文献の文脈において、「コンピュータ可読媒体」には、命令実行システム、装置、またはデバイスが用いるかまたはこれらとともに用いるプログラムを記憶し、通信し、伝搬し、及び／または搬送することが含まれる。
【００３７】
さらに、コントローラ１１５内のコンピュータ可読媒体には、種々の形態のコンピュータ可読メモリ３０５が含まれていてもよい。たとえばコンピュータ可読メモリ３０５は、装置またはデバイスと一体であってもよく、１つまたは複数の半導体が含まれていてもよく、通信及び／または記憶技術が電子的、磁気的、光学的、電磁気的、または赤外線のうちの１つまたは複数であってもよい。簡略にするために説明を省略したコンピュータ可読媒体のより具体的な実施例（非網羅的なリスト）には、ポータブルコンピュータディスケット（磁気的）、ランダムアクセスメモリ（ＲＡＭ）（電子的）、読み出し専用メモリ（ＲＯＭ）（電子的）、消去可能プログラマブル読み出し専用メモリ（ＥＰＲＯＭまたはフラッシュメモリ）（電子的）、及びポータブルコンパクトディスク読み出し専用メモリ（ＣＤＲＯＭ）（光学的）が含まれる。
【００３８】
加えて、コントローラの前述した分散型システムは限定することは意図していない。一実施形態では、ネットワークの同じ側にある各コントローラは、それらの間のネットワークが必要ではなくなるように同じデバイスであってもよい。一実施形態では、コントローラの分散型システムの代わりに単一のオンサイトコントローラを設ける。一実施形態では、ネットワークの同じ側のコントローラは、クラウドコンピューティング構成を用いてワールドワイドウェブ上に配置されたサーバによって制御される。一実施形態では、分散コントローラネットワークはすべての電気通信サービスに対して有線であるため、無線ネットワークは必要ではない。一実施形態では、ネットワークの混雑を最小限にするためにこのようなサービス間で自動的に切り換わる冗長な無線及び有線ネットワークを用いる。
【００３９】
前述の構成によって、ソケット内にすべてのループ通信エレクトロニクスが配置される（たとえば、短絡アイソレータ、電圧レギュレータなど）。検出器内の通信バスによって、検出器がソケットにソケット内のコネクタインターフェースを介して接続される。検出器内の通信バスを標準化して、検出器を多くの異なるソケットバージョンとともに使用してもよいように、またソケットが異なるタイプの検出器を受け取ってもよいようにしてもよい。開示した実施形態によって、ソケット上でリモートサービスツール（ＩＲ、ＬＥＤフラッシング、ＲＦＩＤなど）を用いることができる。以上、開示した実施形態によって、検出器を装着する前にループエレクトロニクスを完成させることが得られるように、技師がソケットを電気的に接続することができる。
【００４０】
通信技術の変更（新技術、向上）が、独立した検出器を用いてより容易に実施され得る。開示したソケットによって、検出器を装着することなく（すなわち、ループまたは個々の検出器を作動させる前に）高度なループ診断が可能になり得る。開示したソケットによって、他のループユニット、音響器、ストロボ、Ｉ／Ｏモジュールなどへのユニバーサル接続が提供され得る。通信モジュールを再使用するので、検出器を耐用寿命の終わりに変える方が効率的であり得る。
【００４１】
用語「約」は、出願時に入手可能な機器に基づいて特定の量の測定値に付随する誤差の度合いを含むことが意図されている。
【００４２】
本明細書で用いる専門用語は、単に特定の実施形態を説明することを目的としており、本開示を限定することは意図されていない。本明細書で用いる場合、文脈上明らかに別の意味が示される場合を除いて、単数形「ａ」、「ａｎ」及び「ｔｈｅ」は複数形も含むことが意図されている。用語「含む」及び／または「含んでいる」は、本明細書で用いる場合、記載した特徴、整数、ステップ、動作、要素、及び／またはコンポーネントの存在を明記しているが、１つまたは複数の他の特徴、整数、ステップ、動作、要素コンポーネント、及び／またはそれらのグループの存在または付加を排除するものではないことがさらに理解されよう。
【００４３】
本開示を典型的な実施形態（複数可）を参照して説明したが、当業者であれば分かるように、本開示の範囲から逸脱することなく、種々の変形を行ってもよく、均等物をそれらの要素の代わりに用いてもよい。加えて、本開示の本質的な範囲から逸脱することなく、特定の状況または材料を本開示の教示に適応させるために多くの変更を行ってもよい。したがって、本開示は、この本開示を行うために考えられるベストモードとして開示した特定の実施形態に限定されず、本開示は、請求項の範囲に収まるすべての実施形態を含むことが意図されている。
【図１】
2021532504.tif 000003
【図２】
2021532504.tif 000004
【図３】
2021532504.tif 000005
【国際調査報告】
2021532504.tif 000006
2021532504.tif 000007